(57)【要約】【課題】放音孔を携帯端末の側面に設けた場合でも、組立に手間のかかる電線と、構造が複雑となるダクトとを設けずに組み立てやすいものとする。【解決手段】裏面側キャビネット５ｂの側壁５ｄにスピーカ１０を収容するスピーカ収容部１２を形成し、このスピーカ収容部１２にスピーカ１０の放音側が当接し、放音孔１３を有すると共に裏面側キャビネット５ｂの底壁５ｃに対して傾斜するスピーカ当接壁部１２ａを設ける。スピーカ１０に裏面側キャビネット５ｂに嵌合した基板９からの電気信号を受け取るスピーカ側端子１０ａを設け、基板９周縁とスピーカ収容部１２に収容されたスピーカ１０との間に中継端子１５を差し込み、中継端子１５の内面側に露出した中継金属端子１５ｃの一端１５ｄを基板側端子９ａに当接させ、スピーカ当接壁部１２ａと略平行となるように傾斜させた外面側に露出した中継金属端子１５ｃの他端１５ｅをスピーカ側端子１０ａに当接させる。【選択図】図８
2010068485.tif 000002
【特許請求の範囲】
【請求項１】
スピーカを内蔵する携帯端末において、
底壁及び該底壁周縁を囲むように立設された側壁を有し、該側壁内面に上記スピーカを収容するスピーカ収容部が形成された基板収容キャビネットと、
上記スピーカ収容部を構成して上記スピーカの放音側が当接し、放音孔を有すると共に、上記基板収容キャビネットの底壁に対して傾斜するスピーカ当接壁部と、
上記基板収容キャビネットに該基板収容キャビネットの底壁と略平行に嵌合され、上記スピーカに電気信号を送る基板側端子が周縁表面に形成された基板と、
上記スピーカに設けられ、上記基板からの電気信号を受け取るスピーカ側端子と、
上記基板側端子に当接する中継金属端子の一端が内面側に露出する平板状の基板側当接部及び該基板側当接部に対して略垂直に連続し、外面側が上記スピーカ当接壁部と略平行となるように傾斜して上記スピーカ側端子に当接する上記中継金属端子の他端が露出するスピーカ側当接部を有し、上記基板周縁と上記スピーカ収容部に収容された上記スピーカとの間に差し込まれる中継端子と、
を備えていることを特徴とする携帯端末。
【請求項２】
請求項１に記載の携帯端末において、
上記スピーカ側端子は、弾性を有する一対の脚で構成されている
ことを特徴とする携帯端末。
【請求項３】
請求項１又は２に記載の携帯端末において、
上記スピーカの放音側には、両面テープが貼り付けられ、該両面テープによって該スピーカが上記スピーカ当接壁部に固定されている
ことを特徴とする携帯端末。
【請求項４】
請求項１乃至３のいずれか１つに記載の携帯端末において、
上記スピーカ収容部は、上記基板収容キャビネットの両側面に形成されている
ことを特徴とする携帯端末。
【請求項５】
請求項４に記載の携帯端末において、
表示ディスプレイを内蔵する表示側筐体と、
上記表示側筐体を縦長状態又は横長状態に切換可能に支持する第１の筐体と、
上記第１の筐体にヒンジ部を介して折り畳み開閉自在に連結された第２の筐体とを備え、
上記第１の筐体を上記ヒンジ部を中心に開いたときに、該第１の筐体が上記第２の筐体の奥側に配置され、
上記第２の筐体の下端側と、上記第１の筐体の下端側とが載置面に当接するように構成され、
上記基板収容キャビネットは、上記第２の筐体の一部を構成している
ことを特徴とする携帯端末。
【発明の詳細な説明】
【技術分野】
【０００１】
本発明は、スピーカを有する携帯端末に関するものである。
【背景技術】
【０００２】
近年、携帯電話機に代表される携帯端末は、ＴＶ受信機能を搭載するようになり、ＴＶ視聴時の臨場感を与えるためにスピーカを内蔵することが行われている。
【０００３】
携帯端末のスピーカとしては、基板に直付けされ、その近傍にキャビネットの放音孔を設けたり、スピーカの近傍にキャビネットの放音孔がない場合にキャビネットの放音孔までダクトを繋いだり、また、スピーカを基板に直付けしないときには、スピーカをキャビネットの放音孔に配置し基板とスピーカとを電線で繋いだりしている。
【０００４】
例えば、特許文献１では、フロントケースとリアケースとの内部に回路基板を設け、この回路基板に電気的に接続されたスピーカを、フロントケースの操作面に形成した放音孔の裏側に配置している。
【０００５】
また、特許文献２では、携帯機器本体１を形成するフロントケース内に、液晶ディスプレイと導光板と基板とからなる表示部を収容し、フロントケースと共に携帯機器本体を形成するリアケース内に、スピーカ本体から発せられる音声を音声通過孔へ導くダクトを有するダクトスピーカを、スピーカ本体の一部が表示部の背面側に重合するように配置している。
【０００６】
また、特許文献３では、第２の筐体の背面に対物窓を形成し、対物窓の左右両脇に放音孔を形成し、第２の筐体に収容された回路基板にデジタルカメラユニットを搭載し、デジタルカメラユニットの左右にスピーカを配置している。スピーカは、傾斜した状態で放音孔に対向し、回路基板の後面に設けた端子にスピーカの端子脚が圧接されている。
【特許文献１】特開２０００−２０１２０７号公報
【特許文献２】特開２００１−１１９７７３号公報
【特許文献３】特開２００７−２０８８５８号公報
【発明の開示】
【発明が解決しようとする課題】
【０００７】
ところで、音響特性やデザイン性の関係から携帯端末の側面にスピーカの放音孔を設けたい場合がある。
【０００８】
しかしながら、上記特許文献１では、放音孔を機器の側面に設けると、スピーカと回路基板とを電気的に接続するための電線が必要になるので、組立が面倒となる。
【０００９】
また、上記特許文献２は、音声通過孔がスピーカから離れているため、音声を音声通過孔へ導くダクトが必要になり、構造が複雑となるという問題がある。
【００１０】
さらに、上記特許文献３は、携帯型電子機器の内部にスピーカ、レンズ及び撮像素子を効率的に収容するため、スピーカを傾斜させているが、携帯型電子機器の側面に放音孔を設けるとなれば、ダクトが必要となるか、基板と接続するための電線が必要になる。
【００１１】
本発明は、かかる点に鑑みてなされたものであり、その目的とするところは、放音孔を携帯端末の側面に設けた場合でも、組立に手間のかかる電線と、構造が複雑となるダクトとを設けずに組み立てやすいものとすることにある。
【課題を解決するための手段】
【００１２】
上記の目的を達成するために、この発明では、中継端子を設けて端末側面のスピーカと基板とを電気的に接続するようにした。
【００１３】
具体的には、第１の発明では、スピーカを内蔵する携帯端末を前提とし、
上記携帯端末は、
底壁及び該底壁周縁を囲むように立設された側壁を有し、該側壁内面に上記スピーカを収容するスピーカ収容部が形成された基板収容キャビネットと、
上記スピーカ収容部を構成して上記スピーカの放音側が当接し、放音孔を有すると共に、上記基板収容キャビネットの底壁に対して傾斜するスピーカ当接壁部と、
上記基板収容キャビネットに該基板収容キャビネットの底壁と略平行に嵌合され、上記スピーカに電気信号を送る基板側端子が周縁表面に形成された基板と、
上記スピーカに設けられ、上記基板からの電気信号を受け取るスピーカ側端子と、
上記基板側端子に当接する中継金属端子の一端が内面側に露出する平板状の基板側当接部及び該基板側当接部に対して略垂直に連続し、外面側が上記スピーカ当接壁部と略平行となるように傾斜して上記スピーカ側端子に当接する上記中継金属端子の他端が露出するスピーカ側当接部を有し、上記基板周縁と上記スピーカ収容部に収容された上記スピーカとの間に差し込まれる中継端子と、
を備えている。
【００１４】
上記の構成によると、中継端子を、表面に基板側端子のある基板周縁と、スピーカ収容部に収容されたスピーカとの間に差し込むと、中継金属端子の一端が基板側端子に当接し、中継金属端子の他端がスピーカ側端子に当接する。そして、中継端子の外面側がスピーカ当接壁部と略平行となるように傾斜しているので、中継端子を差し込むにつれて中継金属端子の他端がスピーカ側端子に確実に接触する。このため、電線を設けなくても、基板からの信号がスピーカに確実に伝達される。また、放音孔はスピーカのすぐ近くにあるので、ダクトを必要としない。
【００１５】
第２の発明では、第１の発明において、
上記スピーカ側端子は、弾性を有する一対の脚で構成されている。
【００１６】
上記の構成によると、スピーカ側端子が、中継端子を挿入する過程で押さえ込まれるので、中継端子が確実に基板とスピーカとを電気的に接続する。
【００１７】
第３の発明では、第１又は第２の発明において、
上記スピーカの放音側には、両面テープが貼り付けられ、該両面テープによって該スピーカが上記スピーカ当接壁部に固定されている。
【００１８】
上記の構成によると、スピーカをスピーカ収容部に固定しておけば、中継端子を挿入しやすくなり、組立がさらに容易となる。
【００１９】
第４の発明では、第１乃至第３のいずれか１つの発明において、
上記スピーカ収容部は、上記基板収容キャビネットの両側面に形成されている。
【００２０】
上記の構成によると、携帯端末の両側面に設けたスピーカから音声が放音されるので、音響効果が向上する。
【００２１】
第５の発明では、第４の発明において、
表示ディスプレイを内蔵する表示側筐体と、
上記表示側筐体を縦長状態又は横長状態に切換可能に支持する第１の筐体と、
上記第１の筐体にヒンジ部を介して折り畳み開閉自在に連結された第２の筐体とを備え、
上記第１の筐体を上記ヒンジ部を中心に開いたときに、該第１の筐体が上記第２の筐体の奥側に配置され、
上記第２の筐体の下端側と、上記第１の筐体の下端側とが載置面に当接するように構成され、
上記基板収容キャビネットは、上記第２の筐体の一部を構成している。
【００２２】
上記の構成によると、表示側筐体を横長状態にしてＴＶ視聴するときに、基板収容キャビネットが載置面に対して適度に傾斜するので、第２の筐体の両側面からの音声がユーザに効果的に届けられる。
【発明の効果】
【００２３】
以上説明したように、本発明によれば、外面側がスピーカ当接壁部と略平行となるように傾斜する中継端子を、表面に基板側端子のある基板周縁と、スピーカ収容部に収容されたスピーカとの間に差し込み、中継金属端子の一端を基板側端子に当接させ、他端をスピーカ側端子に当接させるようにしたことにより、放音孔を携帯端末の側面に設けた場合でも、組立に手間のかかる電線と、構造が複雑となるダクトとを廃止し、組み立てやすいものとすることができる。
【発明を実施するための最良の形態】
【００２４】
以下、本発明の実施形態を図面に基づいて説明する。
【００２５】
図１〜図３は本発明の実施形態の携帯端末としての折畳み式携帯電話機１を示し、この携帯電話機１は、液晶ディスプレイ又は有機ＥＬディスプレイよりなる縦長の表示ディスプレイ２ａを内蔵する矩形板状の表示側筐体２を備えている。この表示側筐体２は、第１の筐体３に設けた支持機構（図示しない）により、縦長状態又は横長状態に切換可能に支持されている。この第１の筐体３には、表面に操作部４が形成された第２の筐体５がヒンジ部６を介して折り畳み開閉自在に連結されている。表示側筐体２の上側には、通話用スピーカ７が内蔵されている。第２の筐体の下側には、通話用マイク８が内蔵されている。
【００２６】
携帯電話機１は、図１に示すように第１の筐体３が第２の筐体５に対して開かれて表示側筐体２が縦長状態にある形態と、図２に示すように、第１の筐体３が第２の筐体５に対して開かれて表示側筐体２が横長状態にある形態と、図３に示すように、第１の筐体３が第２の筐体５に対して閉じられてコンパクトになった形態とに切換可能となっている。
【００２７】
本実施形態では、特に第１の筐体３をヒンジ部６を中心に開いたときに、第１の筐体３が上記第２の筐体５の奥側に配置される、いわゆる逆ヒンジの構成となっている。このため、図２に示すように、机上などの載置面に置いたときには、第２の筐体５の下端側５ｆと、第１の筐体３の下端側３ａとが載置面に当接するように構成されている。
【００２８】
そして、本発明の特徴として、第２の筐体５の両側面にスピーカ１０が設けられている。具体的には、図４に示すように、第２の筐体５は、表面側キャビネット５ａと、裏面側の基板収容キャビネットとしての裏面側キャビネット５ｂとを有している。これら表面側キャビネット５ａと、裏面側キャビネット５ｂとの間には、携帯電話機１の主要な機能を担う基板９が内蔵されている。基板９の裏面側には、図示しないカメラ等と共に基板９を保持する基板ホルダー１１が嵌合されるようになっている。そして、基板ホルダー１１が装着された基板９が、裏面側キャビネット５ｂに、その底壁５ｃと略平行に嵌合し、裏面側キャビネット５ｂのボス部５ｅ及び基板ホルダー１１のボス部１１ａにビス５０を締結するようになっている。図１２に拡大して示すように、基板９の左右周縁部の表面には、スピーカ１０に電気信号を送る一対の基板側端子９ａがそれぞれ突設されている。
【００２９】
図９に拡大して示すように、スピーカ１０は、長細い矩形板状を有し、背面側に基板９からの電気信号を受け取るスピーカ側端子１０ａが設けられている。スピーカ側端子１０ａは、弾性を有する一対の金属製の脚で構成され、先端は二股に分かれ、断面円弧状に丸められている。スピーカ１０の放音側には、楕円形にくり抜かれた両面テープ１０ｂが貼り付けられている。
【００３０】
図４に示すように、裏面側キャビネット５ｂは、矩形皿形状を有し、底壁５ｃと、この底壁５ｃ周縁を囲むように立設された４つの側壁５ｄとを有している。左右の側壁５ｄの内面には、スピーカ１０を収容するスピーカ収容部１２が形成されている。具体的には、図１０に拡大して示すように、スピーカ収容部１２は、裏面側キャビネット５ｂの底壁５ｃに対して傾斜するスピーカ当接壁部１２ａを有している。このスピーカ当接壁部１２ａは、底壁５ｃから離れるにつれて左右外側へ傾斜している。スピーカ収容部１２は、スピーカ当接壁部１２ａを両側から挟むようにスピーカ保持壁部１２ｂが立設されている。スピーカ当接壁部１２ａには、長孔よりなる放音孔１３が形成されている。この放音孔１３に対応するように、スピーカ当接壁部１２ａにスピーカ１０の放音側が当接した状態で一対のスピーカ保持壁部１２ｂで保持されるように構成されている。スピーカ１０は、両面テープ１０ｂによってスピーカ当接壁部１２ａに固定されている。
【００３１】
図６〜図９にも示すように、基板９の左右周縁とスピーカ収容部１２に収容されたスピーカ１０との間には、中継端子１５が差し込まれている。図１１に拡大して示すように、この中継端子１５は、平板状の基板側当接部１５ａと、この基板側当接部１５ａに対して略垂直に連続するスピーカ側当接部１５ｂとを備え、側面視Ｌ字形状を有している。基板側当接部１５ａの内面側には、基板側端子９ａに当接する一対の中継金属端子１５ｃの一端１５ｄが露出している。スピーカ側当接部１５ｂの外面側は、スピーカ当接壁部１２ａと略平行となるように傾斜している。この外面側には、スピーカ側端子１０ａに当接する中継金属端子１５ｃの他端１５ｅが露出している。
【００３２】
また、基板ホルダー１１の中継端子１５に対応する部分には、図１３に示すように、中継端子保持部１６が形成されている。この中継端子保持部１６は、基板９に垂直な当接面１６ａを有し、中継端子１５を両側から包む狭持部１６ｂが突設されている。また、中継端子１５をスピーカ１０側に押圧するために突起部１６ｃが形成されている。中継端子１５の内面側の隅角部は、略直角であり、その隅角部が基板９の左右周縁部及び中継端子保持部１６の当接面１６ａに当接し、中継金属端子１５ｃの一端１５ｄが基板側端子９ａに当接している。
【００３３】
−中継端子の作用−
次に、本実施形態にかかる中継端子１５の作用について説明する。
【００３４】
まず、図６〜図９の（ａ）に示すように、基板ホルダー１１を基板９に嵌合させ、中継端子１５を中継端子保持部１６に保持しておく。また、スピーカ１０を両面テープ１０ｂによってスピーカ当接壁部１２ａに貼り付けておく。
【００３５】
次いで、図６〜図９の（ｂ）に示すように、基板ホルダー１１に基板９を嵌合させた状態で、基板９を裏面側キャビネット５ｂに挿入する。このことで、中継端子１５が、表面に基板側端子９ａのある基板９周縁と、スピーカ収容部１２に収容されたスピーカ１０との間に差し込まれる。すると、まず、中継金属端子１５ｃの他端１５ｅがスピーカ側端子１０ａに当接する。
【００３６】
次いで、図６〜図９の（ｃ）に示すように、基板９を裏面側キャビネット５ｂにさらに深く挿入する。すると、中継端子１５の外面側がスピーカ当接壁部１２ａと略平行となるように傾斜し、スピーカ側端子１０ａが弾性を有しているので、中継端子１５を差し込むにつれて、中継金属端子１５ｃの他端１５ｅがスピーカ側端子１０ａに確実に接続される。
【００３７】
そして、基板９が完全に裏面側キャビネット５ｂに嵌合されると、中継金属端子１５ｃの一端１５ｄも基板側端子９ａに当接する。このため、電線を設けなくても、基板９からの信号がスピーカ１０に確実に伝達される。また、放音孔１３はスピーカ１０のすぐ近くにあるので、ダクトを必要としない。
【００３８】
また、予めスピーカ１０をスピーカ収容部１２に固定しているので、中継端子１５を挿入しやすくなり、組立が容易である。
【００３９】
そして、図２に示すように、表示側筐体２を横長状態にしてＴＶ視聴するときに、机上などの載置面に置いたときには、第２の筐体５の下端側５ｆと、第１の筐体３の下端側３ａとが載置面に当接する。すると、裏面側キャビネット５ｂが載置面に対して適度に傾斜するので、携帯電話機１の両側面に設けたスピーカ１０から白抜き矢印の方向へ音声が放音されるので、音響効果が向上する。
【００４０】
−実施形態の効果−
したがって、本実施形態にかかる携帯電話機１によると、外面側がスピーカ当接壁部１２ａと略平行となるように傾斜する中継端子１５を、表面に基板側端子９ａのある基板９周縁と、スピーカ収容部１２に収容されたスピーカ１０との間に差し込み、中継金属端子１５ｃの一端１５ｄを基板側端子９ａに当接させ、他端１５ｅをスピーカ側端子１０ａに当接させるようにしたことにより、放音孔１３を携帯電話機１の側面に設けた場合でも、組立に手間のかかる電線と、構造が複雑となるダクトとを廃止し、組み立てやすいものとすることができる。
【００４１】
（その他の実施形態）
本発明は、上記実施形態について、以下のような構成としてもよい。
【００４２】
すなわち、上記実施形態では、携帯端末は、表示側筐体２を縦長状態又は横長状態に切換可能に支持する折畳み式携帯電話機１としたが、表示側筐体２を表裏反転可能に支持する折畳み式携帯電話機１でも、表示側筐体２が第１の筐体３に固定された折畳み式携帯電話機１でもよい。また、表示側筐体２が第２の筐体５にスライド可能に支持されていてもよく、表示側筐体２と第２の筐体５とが一体のストレート式のものでもよい。
【００４３】
上記実施形態では、携帯端末は、携帯電話機としたが、ＰＨＳ、ＰＤＡ、ＰＣ、モバイルツール、電子辞書、電卓、ゲーム機等であってもよい。
【００４４】
なお、以上の実施形態は、本質的に好ましい例示であって、本発明、その適用物や用途の範囲を制限することを意図するものではない。
【図面の簡単な説明】
【００４５】
【図１】本発明の実施形態にかかる携帯電話機の縦長状態を示す斜視図である。
【図２】携帯電話機の横長状態を示す斜視図である。
【図３】携帯電話機の閉じた状態を示す斜視図である。
【図４】第２の筐体の分解斜視図である。
【図５】基板が嵌合した裏側キャビネットの正面図である。
【図６】図５のVI−VI線断面図であり、（ａ）は挿入前を、（ｂ）は挿入中を、（ｃ）は挿入完了状態をそれぞれ示す。
【図７】図５のVII−VII線断面図であり、（ａ）は挿入前を、（ｂ）は挿入中を、（ｃ）は挿入完了状態をそれぞれ示す。
【図８】図５のVIII−VIII線断面図であり、（ａ）は挿入前を、（ｂ）は挿入中を、（ｃ）は挿入完了状態をそれぞれ示す。
【図９】スピーカの拡大斜視図であり、（ａ）は放音側から見たもので、（ｂ）は反対側から見たものである。
【図１０】スピーカ収容部を拡大して示す斜視図である。
【図１１】中継端子の拡大斜視図であり、（ａ）はスピーカ側から見たもので、（ｂ）は基板側から見たものである。
【図１２】基板側端子及びその周辺を拡大して示す斜視図である。
【図１３】基板ホルダーの中継端子保持部及びその周辺を拡大して示す斜視図である。
【符号の説明】
【００４６】
１      携帯電話機（携帯端末）
２      表示側筐体
２ａ    表示ディスプレイ
３      第１の筐体
５      第２の筐体
５ｂ    裏面側キャビネット（基板収容キャビネット）
５ｃ    底壁
５ｄ    側壁
６      ヒンジ部
９      基板
９ａ    基板側端子
１０      スピーカ
１０ａ    スピーカ側端子
１０ｂ    両面テープ
１１      基板ホルダー
１１ａ    ボス部
１２      スピーカ収容部
１２ａ    スピーカ当接壁部
１２ｂ    スピーカ保持壁部
１３      放音孔
１５      中継端子
１５ａ    基板側当接部
１５ｂ    スピーカ側当接部
１５ｃ    中継金属端子
１５ｄ    一端
１５ｅ    他端
１６      中継端子保持部
１６ａ    当接面
１６ｂ    狭持部
１６ｃ    突起部
５０      ビス
【図１】
2010068485.tif 000003
【図２】
2010068485.tif 000004
【図３】
2010068485.tif 000005
【図４】
2010068485.tif 000006
【図５】
2010068485.tif 000007
【図６】
2010068485.tif 000008
【図７】
2010068485.tif 000009
【図８】
2010068485.tif 000010
【図９】
2010068485.tif 000011
【図１０】
2010068485.tif 000012
【図１１】
2010068485.tif 000013
【図１２】
2010068485.tif 000014
【図１３】
2010068485.tif 000015